(57)【要約】【課題】本発明は上記部屋の中にトイレを設置する課題を解決するために室内の隅部におかれた便器が違和感を感じない便器収納器家具である。【解決手段】室内の隅部におかれた便器は、移動可能とする家具によって便器、配管、操作盤等が覆われ、家具を移動したことでトイレスペースが形成されるようにした事を特徴とする室内便器収納方法及び構造。【選択図】    図１
2005351086.tif 000002
【特許請求の範囲】
【請求項１】
室内の隅部に配置された便器は、移動可能とする家具によって便器、配管、操作盤等が塞がれ、家具を移動したことでトイレスペースが形成されるようにした事を特徴とする室内便器収納方法。
【請求項２】
室内の隅部に配置された便器は、ガイドレールにより移動可能とされた便器、配管、操作盤等が塞がれ、家具を移動したことで移動もし易いトイレスペースが確保されるようにした事を特徴とする室内便器収納構造。
【発明の詳細な説明】
【技術分野】
【０００１】本発明は、室内の隅部に配置された水洗便器に関する
【背景の技術】
【０００２】従来の個室に設置された水洗便器は、むき出しのままで置かれるか、装飾が施された絵柄便器が置かれるのが現状であった。
なお関連技術に下記の文献もある。
【特許文献１】特開２００４−５７４９号公報
ユニットバス形式での便器のトイレカバーの上部から別個帯の鋼性の高い素材で形成されたトイレカバーを取り付け、便器の簡易の椅子に変える事を特徴とする便器用簡易椅子トイレカバー。【特許文献２】実用新案登録第３０７６５１８号公報
金属フタロシアニン誘導体を担持させたセルロース系シート系生地から構成され、ポータブルトイレの頂面および周面を覆うことを特徴とする。【非特許文献１】ＴＯＴＯ輸入品（セラトレーティング社）カタログＫＥ２０３８１４−９０ロマンチック大便器  茶碗やお皿に絵柄があるように便器や便座の蓋にも絵柄をつけたもの。
【非特許文献２】ＴＯＴＯのユニットバスカタログ｀０５．６（Ｚ３−３５ＴＯ）ＮＯ４１  内に家の新築時に和室の布団などを入れる押入の床にすでに下水用の排水の配管を設置してある場合においては、押入の天袋の高さまで壊し、和室部屋を洋間に変更した後に押入をシャワー用ユニットまたはトイレ用ユニットのどちらかを選んで設置すると、洋間から扉を開けるだけで直接にシャワー用ユニットまたはトイレ用ユニットを利用できる、ユニットが販売されている。
【発明の開示】
【発明が解決しようとする課題】
【０００３】以上に述べた従来の個室の水洗トイレやポータブルトイレでは〔特許文献１〕のユニットバス内に設置されたトイレの樹脂の蓋を補強し、子供をすわらせて洗い場での椅子の座面として使用する方法であるが、座面の蓋が樹脂の以前、およそ４０年前は塗装された木製であり、強度的に十分座れる製品であった。また〔特許文献２〕では、ポータブルトイレを消臭効果のある金属フタロシアニン誘導体を繊維布にすることで、市販の便座蓋カバーを床まで延ばし製品に消臭スプレ−を吹き付けただけの現在市販された製品とおなじであり、トイレを使用後ただちに他の人により覆ってもらうものであり室内に置かれたポータブルトイレの形の存在感を消え去るものではない。
〔非特許文献１〕では、便器および樹脂製の便座蓋に絵柄がある製品であるが、居室や寝室等に置かれた時に違和感を感じないデザインではなく、便器を想像させない製品ではない。〔非特許文献２〕は押入を壊してシャワー用ユニットまたはトイレ用ユニットを和室から洋間に変え、押入のあった位置の内部に設置できるもので、部屋の間取りの変更であり、ガイドレールによる移動する家具によってのトイレ仕様となる方法とはあきらかに異なる。
本発明では上記問題を移動によりトイレスペースとする家具によって便器、配管、操作盤等を覆う室内便器収納方法及び構造にすることを目的とするものである。
【課題を解決するための手段】
【０００４】本発明は上記課題を解決するために室内の隅部に配置された便器は、移動可能とする家具によって便器、配管、操作盤等が塞がれ、家具を移動したことでトイレスペースが形成されるようにした事を特徴とする室内便器収納方法と室内の隅部に配置された便器は、ガイドレールにより移動可能とされた便器、配管、操作盤等が塞がれ、家具を移動したことで移動もし易いトイレスペースが確保されるようにした事を特徴とする室内便器収納構造である。
【発明の効果】
【０００５】本発明は上記構成から成るので以下に示す効果が期待できる。
１、家具移動することで簡単にトイレスペースが確保できる。
２、家具で覆うことで衛生、消臭効果がある。
３、外部からの訪問者が部屋にトイレがあることに違和感を感じない。
４、壁面と家具間の間に安全スペースが確保できる
５、狭いスペースで収納ができ、部分品も設置できること。
【発明を実施するための最良の形態】
【０００６】以下、本発明の実施の形態を図面を参照して説明する。【０００７】図１に示すように室内の移動可能とする家具２０は、天井には固定されたガイドレール２２から引出されたレールと床には移動時にふらつかない車形滑り板により移動する方法で、簡単に室内の隅におかれた便器１に変わる方法になっている。壁面から離れる移動方向矢印２１により容易に移動できる方法であり  、家具と壁面との間で地震時には安全なスペースとなる構造となっている。
図２は図１を天井に固定されたガイドレール２２から引出されたレールはガイドレール２２と重なることで納め、床には移動時にふらつかない車形すべり板２３により壁面に室内の隅におかれた便器１を移動可能とする家具２０で塞いだ。また便器収納器家具の空いた狭いスペースを使用して物入れ２４ができ洋服入れ、整理ダンスや書棚、トイレ用品も設置できる構造となっている。
図３は室内の移動可能とする家具２０が部屋のコーナーにおかれた時に、壁面には固定されたガイドレール２２から引出されたレールは壁面を移動方向矢印２１に平行に移動するとともに、床には移動時にふらつかない車形滑り板により移動する方法で、簡単に室内の隅におかれた便器１に変わる方法になっていて、力のない使用者自身でも移動可能とする家具２０で容易に移動でき、床が畳やじゅうたんの場合でもスムーズに移動可能であり、室内の隅におかれた便器１の他、便座２や手摺１２、配管、操作盤等の移動可能な家具２０によって塞いで、塞いだ時は便器の痕跡が感じられない形になっている。
図４は図３の壁面に固定されたガイドレール２２から引出されたレールは壁面をガイドレール２２と重なることで収まり、床には移動時にふらつかない車形すべり板２３により壁面と壁面とのコーナーの室内の隅におかれた便器を１に移動可能とする家具２０で塞いで、便器収納器家具の空いた狭いスペースを使用して物入れ２４には茶たんすやトイレ用品も設置できる構造として使用できる。
図５の移動可能とする家具２０については、天井や壁面のガイドレールはなく、床の移動時にふらつかない車形滑り板のみにより移動する方法で、移動方向矢印２１により簡単に室内の隅におかれた便器１が使用できる。移動可能とする家具２０は長椅子に背もたれ部２５が一体になったもので、室内の便器を最小の形でも塞ぎ隠すことができる。
図６は図５長椅子付背もたれ部２５で室内の隅のおかれた便器１は便座２部を外した状態で塞いだもので、長椅子の座面部２６高さは、便器使用時の便座２の高さとほぼ同じ高さに保たれる。また壁面に取り付けてあるＬ形手すり縦部分１２は、長椅子背もたれ部２５側面にＬ型手すり横部分を収納する穴１３を通して、便器を塞いだ長椅子よりはみだして、長椅子に座った後に立上る人のアシスト手すりになっている。長椅子の背もたれ部２５の上部には物入２４がありはプラントボックスやめがね、や身の廻り品の収納にもなる。
図７は壁面と壁面のコーナー部に設置した図３と同じガイドレールやふらつかない車形滑り板を仕様していて、移動可能とする家具２０により移動方向矢印２１の移動により、室内の隅におかれた便器１は簡単に使用できる。この長椅子の背もたれ部２５や長椅子座面部２６、長椅子座面下巾木部２８には、壁面の角付近に排水を流すための給水管４および排水を流すためのコックバルブ５（シスタンバルブ）が設置されているタイプであり、長椅子肘掛部２７で塞がれている。また長椅子座面下巾木２８を利用した物いれ２４がある。
図８は図７に長椅子肘掛部２７が加わり室内の隅におかれた便器１の他、Ｌ型手すり、配管、操作盤等を塞いでいるために、部屋隅部に設置された状態はリラックスできる長椅子として使用でき、また座面部２６の一部を開くと物入れ２４があり、チェストとなって、履物や洋服、ひざ掛け等も収納できる。
【実施例】
【０００８】居室や寝室等に水洗便器を設置することで、昼間は水洗便器を便器収納器で覆い、訪問者があっても、訪問者にすこしの時間だけ別の場所に居てもらうだけで便器収納器を移動し排泄することができ、訪問者に違和感を与えない。また夜には便器収納器を水洗便器として使用でき、足腰がさらに弱まったときは、ベッドから介護者の付き添いでのトイレもより安心して排泄できる。便器収納器で覆っているため臭気が無くなった。便器収納器は座る椅子としても、本棚、茶箪笥などにもなりそれぞれの部屋に必要な家具としての便器収納器の役割をもっている。トイレの扉を開け個室内の限られたスペースで体の方向を変えて座る動作は困難であり、昨年の政府刊行資料では６５歳から９９歳までの女性の平均身長は１５０ｃｍであり、これはハイヒールを履く女性の場合は膝下からかかと裏までの高さを男性とほぼ変わらない高さであるが、室内で靴を脱いだ状態での便座の高さは女性には男性と同じ高さの便座仕様ではあまりにも高く、便座の排泄穴の大きさも高齢な女性や子供には大きすぎる。高齢化がより進むと、同じ時間トイレを使用する場合が多く、男性専用、女性や子供専用の便器も必要になってくる。男性用が減りとトイレを様式トイレ一つにまとめるだけでなく、幾つかの便器の設置場所を問わず高齢者や女性用、子供用も含めた便器の多様性を衣食住の中に加えるべきであり、便器収納器家具により可能にできる。
【産業上の利用可能性】
【０００９】高齢化して足腰が弱くなると夜のトイレにかようことが最初の困難となるため身近な所にポータブルトイレを使用とするが、排泄物を毎日処理しなければならない構造であり，清掃が不十分だと残臭があり衛生面で家族の負担も大きい。また便器が床に固定されないため転倒する事故があとをたたなく、一方水洗トイレは水廻り近くに限られたスペースに作られた個室が多く、日当たりのよい寝室や居間等から廊下を隔てて離れた場所が一般的で、夜間の移動には危険を伴うため必要な場所に違和感無く設置できる便器収納器家具が必要とされる。
【図面の簡単な説明】
【００１０】
【図１】天井まである移動可能とする家具が壁面より移動した図
【図２】壁面に移動可能とする家具が接した図
【図３】壁面コーナーより移動可能とする家具が移動した図
【図４】壁面に移動可能とする家具が接した図
【図５】移動可能とする家具がすべての壁面より移動した図
【図６】移動可能とする家具が手すりのみ残し塞いだ図
【図７】移動可能とする家具が壁面より移動した図
【図８】移動可能とする家具が壁面に接した図
【符号の説明】
【００１１】１、  室内の隅に置かれた便器
２、  便座
３、  背中後タンク
４、  排水を流すための給水管
５、  排水を流すためのコックバルブ（シスタンバルブ）
１１、Ｌ形手すりの横手すり部分を収納するための穴
１２、Ｌ形手すりの縦手すりの部分
１３、Ｌ形手すりの室内便器収納横手すりの部分構造の移動家具
１４、トイレリモコン
１５、トイレットペーペーホルダー
２０、移動可能とする家具。
２１、移動方向矢印。
２２、天井や壁面に設置されたガイドレールで、ガイドレール内にかさなった別のレールが延びたり、ガイドレールに収納されたりする。
２３、床移動時にふらつかない車とすべり板がついもの
２４、物入れ
２５、長椅子背もたれ部の平面収納部
２６、長椅子の座面部
２７、長椅子の部肘掛
２８、長椅子の座面下巾木
【図１】
2005351086.tif 000003
【図２】
2005351086.tif 000004
【図３】
2005351086.tif 000005
【図４】
2005351086.tif 000006
【図５】
2005351086.tif 000007
【図６】
2005351086.tif 000008
【図７】
2005351086.tif 000009
【図８】
2005351086.tif 000010